(57)【特許請求の範囲】
【請求項１】
外壁を有する加工処理用の容器の絶縁モジュールで、前記容器は加工処理に使用するための制御された温度範囲内に維持された材料を収納するための容器で、前記絶縁モジュールは以下を含む：
外面層；
前記外面層に取り付けられ前記加工処理用容器の前記外壁の部分に対面する断熱層；
前記断熱層を前記外面層に取り付けるために前記外面層と前記断熱層の間に伸びる複数の第１の止着部材；
前記外面層から前記加工処理用容器の外壁に伸び、前記外壁に直に固定される複数のブラケット；
前記外面層を前記加工処理用の容器の外壁に取り付けるために、前記外面層と前記ブラケットの間に伸びる複数の第２の止着部材であって、前記断熱層は前記外壁から距離を隔てて前記ブラケットにより取り付けられ、それによって前記外面層に取り付けられる前記断熱層が前記外壁に対面すると共に、前記外壁との間に空気間隙が設けられていること、
前記外面層が複数の凹部と凸部を有する波板からなり、
前記の第１の止着部材は前記波板の凹部に取り付けられ、前記第２の止着部材は前記波板の凸部であって、隣り合う前記波板のそれぞれの重なり合う端部同士と前記ブラケットの上部とに挿通されて取り付けられているもの。
【請求項２】
前記断熱層は、繊維が離脱しないように処理された繊維状材料からなる請求項１に記載の絶縁モジュール。
【請求項３】
前記断熱層と前記加工処理用容器の外壁との間に取り付けられた支持網からさらになる請求項１に記載の絶縁モジュール。
【請求項４】
前記第２の止着部材が固定用ねじからなる請求項１に記載の絶縁モジュール。
【請求項５】
前記第1の止着部材が固定用ねじからなり、該固定用ねじに固定されたスピード・クリップ部材からなる請求項１に記載の絶縁モジュール。
【請求項６】
各前記ブラケットが前記加工処理用容器の外壁から前記外面層が隔たるように支持するための取り付け脚を含む、請求項１に記載の絶縁モジュール。
【請求項７】
絶縁モジュールが、さらに前記外壁に取り付けられた複数のクリートからなり、前記ブラケットの取り付け脚が前記外壁に直にではなく、前記クリートに固定された請求項６に記載の絶縁モジュール。
【請求項８】
絶縁モジュールが、さらに前記ブラケット装着用脚部材を前記外壁に固定するための複数のねじ溝付きロッドスタブからなり、ブラケット取り付け脚の各々が前記ロッドスタブの一つに適合するための少なくとも一つの貫通孔を含む、請求項７に記載の絶縁モジュール。
【請求項９】
前記断熱層が、ロックウール、ガラス繊維、ＰＩＲ発砲体、ＰＵＲ発砲体並びにこれらの混合物からなる群からから選ばれる、請求項１に記載の絶縁モジュール。
【請求項１０】
絶縁モジュールが、さらに前記断熱層と前記加工処理用容器の外壁との間に取り付けられた支持網からなり、前記第１の止着部材が前記外面層へ断熱層を固定する前記支持網と前記外面層の間に伸びている、請求項１に記載の絶縁モジュール。
【請求項１１】
複数の第１の止着部材を用いて断熱層を外面層へ取り付けること；
複数のブラケットを用いて、前記外面層を前記加工処理用の容器の外壁に距離を隔てて取り付けること；
前記断熱層は前記外壁から距離を隔てて前記ブラケットにより取り付けられ、それによって前記外面層に取り付けられる前記断熱層が前記外壁に対面すると共に、前記外壁との間に空気間隙が設けられていること；
複数の第２の止着部材を用いて、前記外面層を前記ブラケットに取り付けることからなる加工処理用容器の外壁に絶縁を施す方法であり、
前記外面層が複数の凹部と凸部を有する波板からなること；
前記の第１の止着部材は前記波板の凹部に取り付けられ、前記第２の止着部材は前記波板の凸部であって、隣り合う前記波板のそれぞれの重なり合う端部同士と前記ブラケットの上部とに挿通されて取り付けられていることを特徴とする前記方法。
【発明の詳細な説明】
【０００１】
[発明の分野]
この発明は、広くは、産業及び他の用途に使用される絶縁技術に関し、詳しくは、容器の絶縁の絶縁モジュール及び該絶縁モジュールを組みつける方法に関するものである。この発明を化学プラントにおいて使用の容器に対する使用について記載する。しかしながら、前記絶縁モジュールは、また、他の用途も考えられることを認識すべきである。
【０００２】
[発明の背景]
化学プラントにおいては、固体、気体又は液体のようなマテリアルズを保管したり、搬送したりするタンク及び他の容器には、化学プラントにおいて実施される工程にあって有効使用のための調節温度範囲内に維持されることが一般的に要求される。この温度調節を行う一つの方法は、前記容器類及び化学プラントのパイプ類に絶縁を施すことである。
【０００３】
しかしながら、化学プラントの絶縁処理は、経費及び時間を要する処理になる。容器の場合、絶縁処理を施す一般に使用されている方法は、容器の外壁の面にわたりいくつかのピンを先ず最初に埋め込み、各ピンを横方向に延ばす。そして、絶縁マテリアルを前記ピンに支持させ、各ピンの端部にシーリングワッシャを取り付けて絶縁モジュールと保持網とを所定位置に保持させる。ついで、前記絶縁モジュールの上面外側に金属被せ金を被せて前記絶縁モジュールを保護する。
【０００４】
したがって、現在の絶縁処理には、いくつかの工程が含まれる。しかしながら、例えば、熱負担がかからないようになっている容器の場合には、ピンの設置が必ずしも可能ではない。他の手段、例えば、ストラップのような手段で絶縁モジュールを保持することが必要になる。
【０００５】
さらには、一般に使用される絶縁モジュールは、例えば、ガラス繊維のような繊維状マテリアルで作られているから、このマテリアルの絶縁モジュールの設置には、作業者の安全を確保するめに、絶縁モジュール設置の時には、絶縁に関わらない作業すべてを中断しなければならない。このことは、夜間の作業が必要になり、照明費用並びに作業の臨時支出が日中のものよりも嵩んでしまう。
【０００６】
さらにまた、絶縁マテリアルは、容器の外壁面に即座に取り付けられ、そして、絶縁マテリアルは、湿気を保有するから、容器への腐食問題が潜在的に生じる。
【０００７】
したがって、この発明は、存在する絶縁システムの上記した欠点の少なくとも一つを解消することを目的とする。
【０００８】
このような目的をもって、この発明の一つのアスペクトによれば、以下を含む容器の絶縁モジュールが提供される： 外面層と、この外面層に固定された絶縁層を有するパネル；及び 前記パネルから突き出て、前記容器の外壁に前記絶縁モジュールを取り付けることを可能とする取り付け手段で、前記絶縁モジュールが前記容器の外壁に対し取り付けられるとき、前記絶縁層と容器の外壁の間に空気間隙が設けられること。
【０００９】
前記空気間隙の設置は、いくつかの利点を生む：
（ａ）前記絶縁層が前記空気間隙により前記容器の壁から離れていること
で、前記絶縁層に湿気が保持されていることによる腐食のおそれを無くす、
（ｂ）前記空気間隙内に存在する空気が補助絶縁層を形成する。このことは、前記外面層に固定の絶縁層を薄くすることができることを意味する。
【００１０】
さらにまた、前記絶縁層が前記絶縁モジュールの絶縁に先立って前記外面層に固定されるから、前記絶縁層から有害な繊維の可能な脱落を防ぐ処理を前記絶縁層に施すことができる。例えば、前記外面層に固定する前に、マテリアルで前記絶縁層を被覆することができる。また別に、接着ペイントを前記絶縁層の外面にスプレイして、前記外面層に固定する前に前記層からの繊維の離脱を防いだりしたり、なくしたりすることができる。本出願人の共に出願のオーストラリア特許出願第２６０３４／９９は、繊維の離脱を減らす用途に適切なシーリング剤を記載している。
【００１１】
前記外面層は、プラントのオペレータの要求に依存する。例えば、前記外面層は、”Ｓｐａｎｄｅｃｋ”（商標）のようなコルゲート加工されたシートがよい。この外面層は、スチール又はアルミニウムから形成できるが、他のマテリアルズもまた考えられる。
【００１２】
前記絶縁層は、固定手段により前記外面層に固定される。例えば、前記絶縁層は、前記外面層と支持網との間に保持される。止着手段が前記外面層から前記絶縁層を通り前記支持網に達している。前記止着手段は、例えば、前記外面層から前記絶縁層を抜けて前記支持網に延びる固定用ねじの形態のものである。スピードクリップ部材を各固定用ねじの自由端に固定し、前記支持網を保持し、したがって前記絶縁層を前記外面層に対し所定位置に保持することができる。
【００１３】
他の可能な構成によれば、前記絶縁層は、前記外面層に直付けできる。
【００１４】
前記取り付け手段には、いくつかのブラケットが含まれ、これらブラケットは、前記外面層に固定されており、前記絶縁モジュールが設置位置にあるとき、前記容器の壁に向かっている。各ブラケットは、前記絶縁モジュールのパネルを前記容器の壁から離して支持する取り付け脚を含む。
【００１５】
化学プラントに使用の容器は、一般的に、該容器の外壁まわりにいくつかのクリート（桟）が設けられており、該容器の外側にクラッディングが固定できるようになっている。この目的のために、各絶縁モジュールを前記容器に設置するに当たり、ブラケットを取り付ける脚を前記クリートに固定する。各取り付け脚は、それぞれのクリートにボルト止め又は溶接される。また別に、クリートが設けられていない場合は、前記ブラケット取り付け脚を前記容器の壁に直接溶接できる。また別に、止着手段を特に設けて、前記ブラケット取り付け脚を前記容器の壁に固定できる。例えば、いくつかのねじ溝付きロッドスタブを前記容器の壁に溶接することができる。各ブラケット取り付け脚は、少なくとも一つの横方向に延びたフットを含み、このフットに少なくとも一つの貫通孔が設けられて、それぞれのねじ溝付きロッドスタブに適合できるようになっている。ついでナットを各ねじ溝付きロッドスタブにねじ込んで前記ブラケットを保持し、したがって、前記絶縁モジュールを所定位置に保持する。
【００１６】
前記絶縁層は、各種色々のマテリアルから作られ、厚さも種々異なる。例えば、ロックウール、ガラス繊維、ＰＩＲ発泡体又はＰＵＲ発泡体及びこれらの混合物が前記絶縁層に使用できる。難燃剤も組み入れることができる。この発明は、前記絶縁層に使用の絶縁材により限定されるものではない。
【００１７】
前記複数の絶縁モジュールは、突き当て合わせ、又は、極わめて近接した状態で設置されて、前記容器の外壁の少なくとも実質部分を被覆するマトリックスを形成し、これによって、その容器に所要の絶縁を施すものである。絶縁は、また、容器類の円錐形部分にも施される。したがって、この発明は、前記容器の外壁にピンを埋め込む必要をなくすものである。さらに、前記取り付け工程は、時間のかからない一つの工程処理ですむ。加えて、個々のモジュールを簡単に外すことができ、必要に応じて新たなモジュールに交換できるから、設置装備の管理に難点がない。
【００１８】
この発明の他のアスペクトによれば、複数のモジュールを突き当て合わせの関係又は極めて近接させた関係で前記容器の外面に取り付けて容器に絶縁を施す方法が提供され、各絶縁モジュールは、複数の凹部と凸部を有する波板からなる外面層とこの外面層に固定の絶縁層とを有するパネル及び前記パネルから突き出て前記絶縁モジュールを前記容器の外壁に取り付ける取り付け手段を含み、この方法においては、前記方法は、前記取り付け手段を前記容器に固定し、これによって、前記複数の絶縁モジュールが前記容器の外壁に装着されるとき、前記絶縁層と前記容器の外壁との間に空気間隙を設けるものである。また、前記方法は、前記の第１の止着部材は前記波板の凹部に取り付け、前記第２の止着部材は前記波板の凸部であって、隣り合う前記波板のそれぞれの重なり合う端部同士と前記ブラケットの上部とに挿通され取り付けられることを含む。
【００１９】
この発明のまた別のアスペクトによれば、前記容器の外面に突き当て合わせの関係又は極めて近接した関係をもって装着された上記のようないくつかの複数の絶縁モジュールを含む絶縁された容器が提供される。
【００２０】
[発明の好ましい実施例の説明]
絶縁モジュール１には、例えば、少なくとも１枚の”Ｓｐａｎｄｅｃｋ”（商標）シートから作られた外面層３をもつパネルが含まれている。顧客の要望に応じて別のシート材を使用することもできる。絶縁層５が外面層３の下面に固着されている。この絶縁層５は、色々多数のマテリアルズの一つから構成されてよい。例えば、絶縁層５は、ロックウールの複数枚のシートから構成され、前記シートにおいてはロックウールの繊維がほぐれて離脱するのを防ぐマテリアル層でロックウールが覆われている。また別に、ロックウールの代わりにガラス繊維が使用できる。いずれの場合においても、繊維が離脱しないように、繊維マテリアルを例えばアクリル系エマルジョンのようなシーリング剤でシールしてある。このようなシーリング剤の使用については、本出願人が１９９９年４月３０日に出願したオースオラリア特許出願第２６０３４／９９号に記載されている。
【００２１】
絶縁層５は、いくつかの固定用ねじ１０により外面層３に固定されており、これらねじは、外面層３と絶縁層５とに挿通されている。固定用ねじ１０の頭部と外面層３との間にシーリングワッシャ１１が介在している。シート状のワイヤーメッシュ（金網）１８が絶縁層５の対向面側（下側）に設けられていて、この絶縁層５を支持している。固定用ねじ１０の端部は、ワイヤーメッシュ１８を突き抜け、各固定用ねじ１０の端部にスピードクリップ１２が取り付けられ、絶縁層５が所定位置に保持される。
【００２２】
絶縁モジュール１は、さらに、いくつかのブラケット７を備えている。各ブラケット７には、前記Ｓｐａｎｄｅｃｋシート３の形状に適応する形状の上部９が含まれている。隣り合うシート３は、それぞれの端部同士が重なり合うようになっている。ついで、これらのシートは、別の固定用ねじ１３で前記ブラケット７に固定され、該ねじは、シート３の重なり合う端部同士とブラケットの上部９とに挿通されている。別のシーリングワッシャ１４が固定用ねじ１３の頭部と前記Ｓｐａｎｄｅｃｋシート３との間に介在している。
【００２３】
各ブラケット７は、さらに、取り付け脚８を備え、この取り付け脚は、絶縁層５とワイヤーメッシュ１８とを貫通し、絶縁モジュール１のアッセンブルされたパネルの外へ突き出ている。
【００２４】
いくつかのクリート（桟）１６が容器の壁２の外面１７にそって設けられている。絶縁モジュール１のブラケット７は、絶縁モジュール１にそって間隔をおいて設けられ、容器の壁２のクリート１６の設置間隔に対応している。各ブラケットの取り付け脚８が各クリートに固定され、絶縁モジュール１が取り付けられる。前記ブラケット７は、クリート１６に溶着又はボルト止めされる。また別に、前記クリートが設けられていない場合には、前記ブラケット７は、容器の壁２に溶接してよい。
【００２５】
容器の壁２の外面１７の外側全体にかけて、いくつかの複数の絶縁モジュール１を突き当てて合わせたり、極めて近接させた関係で装着し、前記容器の壁全面を少なくとも実質的に覆い、これによって前記容器に対し必要な絶縁作用を与える。前記ブラケット７は、絶縁構造体のパネル６から突き出ているので、空気間隙１５が絶縁層５と容器の壁２との間に設けられる。この空気間隙１５により上記の効果が生じる。
【００２６】
この発明によれば、絶縁モジュール１のパネル６は、前記外面層に直接に接合された絶縁層を有する外面層から形成できることも考えられる。
【００２７】
この記述を読解する当業者によれば、この発明又はこの記述に対しモディフィケーション並びにバリエーションを行うことができる。それらのモディフィケーション並びにバリエーションは、この発明の範囲に包含されるものである。
【図面の簡単な説明】
この発明の種々のアスペクトは、添付の図面を参照してのこの発明の実施例の記述からより完全に理解できるもので、図面において：
【図１】  この発明による絶縁モジュールの断面図である。
【図２】  容器の壁に取り付けられた図１の絶縁モジュールの詳細な一部の断面図である。
【図１】
0004582677.tif 000002
【図２】
0004582677.tif 000003